(57)【要約】【課題】視覚的な効果を付加しつつ薄型化を実現できる回胴表示装置を提供する。【解決手段】回胴表示装置４を構成する絵柄表示体４１は、絵柄表示体４１の外面の一部を構成し絵柄表示体４１の回転方向に沿って断面円弧状に延出する外面４１１１、および、断面円弧状の延出方向両端部に位置し延出方向に直交する平坦状の各当接面４１１３を有する板状の複数のピース４１１と、複数のピース４１１を無端状に連結する複数のピン４１２とを備える。そして、回胴表示装置４は、表示区画Ａｒ１に位置付けられる各ピース４１１の当接面４１１３同士を当接させて外面４１１１同士を連接させ、かつ、表示区画Ａｒ１と非表示区画Ａｒ２との各境界位置に位置付けられ隣接接続される各ピース４１１を内面４１１２同士が近接する方向に屈曲させた姿勢状態で絵柄表示体４１を支持する表示体支持部４２を備えている。【選択図】図４
2008220478.tif 000002
【特許請求の範囲】
【請求項１】
複数の絵柄が形成された絵柄表示体を備え、前記絵柄表示体の回転および停止により所定の表示位置に位置付けられる絵柄を変動表示する回胴表示装置であって、
前記絵柄表示体は、
前記絵柄表示体の外面の一部を構成し前記絵柄表示体の回転方向に沿って断面円弧状に延出する曲面、および、断面円弧状の延出方向両端部に位置し前記延出方向に直交する平坦状の各当接面を有する板状の複数の円弧状部と、
隣接接続される各円弧状部の前記当接面同士が互いに当接可能で、かつ、隣接接続される各円弧状部を前記曲面に対向する内面同士が近接する方向に屈曲可能に、前記複数の円弧状部を無端状に連結する複数の連結部とを備え、
前記複数の円弧状部のうち前記表示位置を含む前記回転方向に沿う所定の表示区画に位置付けられる各円弧状部の前記当接面同士を当接させて前記曲面同士を連接させ、かつ、前記表示区画と前記表示区画を除く他の非表示区画との各境界位置に位置付けられ隣接接続される各円弧状部を前記内面同士が近接する方向に屈曲させた姿勢状態で前記絵柄表示体を支持する表示体支持部を備えている
ことを特徴とする回胴表示装置。
【請求項２】
請求項１に記載の回胴表示装置において、
前記表示体支持部は、前記絵柄表示体の内部空間における前記各境界位置近傍にそれぞれ配設され、前記絵柄表示体の回転および停止を実施する駆動ローラで構成され、
前記駆動ローラは、前記回転方向に直交する方向に沿って配設される回動軸と、前記回動軸に対して回動自在に軸支されるローラ本体とを備え、
前記ローラ本体は、前記回動軸を中心とする回動方向に所定間隔を空けて形成され前記回動軸から離間する方向に突出する複数の係合突起部を有し、
前記係合突起部における突出方向先端部分には、突出方向基端部分の断面積よりも大きい断面積を有する膨出部が形成され、
前記円弧状部の前記内面には、前記延出方向両端部側に前記係合突起部と係合可能とする係合受け部がそれぞれ形成され、
前記円弧状部は、前記各境界位置に位置付けられ隣接接続される他の円弧状部との間で前記内面同士が近接する方向に屈曲した状態となった際に、自身の前記係合受け部と前記他の円弧状部の前記係合受け部とが前記係合突起部の前記膨出部の周囲を囲み前記膨出部を把持して前記係合突起部と係合する
ことを特徴とする回胴表示装置。
【請求項３】
請求項１に記載の回胴表示装置において、
前記表示体支持部は、前記絵柄表示体における前記曲面および前記当接面に交差する側面に対向し前記各境界位置近傍にそれぞれ配設され、前記絵柄表示体の回転および停止を実施する駆動ローラで構成され、
前記連結部は、前記絵柄表示体における前記曲面および前記当接面に交差する側面から面外方向に突出する形状を有し、
前記駆動ローラは、前記回転方向に直交する方向に沿って配設される回動軸と、前記回動軸に対して回動自在に軸支される板状のローラ本体とを備え、
前記ローラ本体の外周面には、前記回動軸を中心とする１２０°の回転対称位置に穿設され前記連結部と係合可能とする係合用孔がそれぞれ形成されている
ことを特徴とする回胴表示装置。
【請求項４】
請求項１から請求項３のいずれかに記載の回胴表示装置において、
前記複数の円弧状部は、透光性部材で構成されている
ことを特徴とする回胴表示装置。
【請求項５】
遊技用画像を表示する表示装置を備えた遊技機であって、
前記表示装置は、請求項１から請求項４のいずれかに記載の回胴表示装置を備えている
ことを特徴とする遊技機。
【発明の詳細な説明】
【技術分野】
【０００１】
本発明は、回胴表示装置、および遊技機に関する。
【背景技術】
【０００２】
従来、パチンコ機やスロットマシン等の遊技機において、遊技盤に形成された表示窓から一部を露出させ、回転および停止によって、表示窓内の所定の表示位置に位置付けられる絵柄を変動表示する回胴表示装置（リール）を備えた構成が知られている。
このような回胴表示装置としては、駆動源により回転するドラムリールの円筒体の周囲に帯状のリールテープを一巡させて巻き付けた回転ドラムが多く用いられる（例えば、特許文献１参照）。
【０００３】
【特許文献１】特開２００２−２００２５６号公報
【発明の開示】
【発明が解決しようとする課題】
【０００４】
しかしながら、回胴表示装置として上述したような回転ドラムを用いた場合には、視覚的な効果を迫力のあるものとするために、回転ドラムを大型化した場合には、回転ドラムが搭載される遊技機の奥行きを大きくする必要があり遊技機の薄型化を実現できない、という問題がある。
このため、視覚的な効果を付加しつつ薄型化を実現できる技術が要望されている。
【０００５】
本発明の目的は、視覚的な効果を付加しつつ薄型化を実現できる回胴表示装置、および遊技機を提供することにある。
【課題を解決するための手段】
【０００６】
本発明の回胴表示装置は、複数の絵柄が形成された絵柄表示体を備え、前記絵柄表示体の回転および停止により所定の表示位置に位置付けられる絵柄を変動表示する回胴表示装置であって、前記絵柄表示体は、前記絵柄表示体の外面の一部を構成し前記絵柄表示体の回転方向に沿って断面円弧状に延出する曲面、および、断面円弧状の延出方向両端部に位置し前記延出方向に直交する平坦状の各当接面を有する板状の複数の円弧状部と、隣接接続される各円弧状部の前記当接面同士が互いに当接可能で、かつ、隣接接続される各円弧状部を前記曲面に対向する内面同士が近接する方向に屈曲可能に、前記複数の円弧状部を無端状に連結する複数の連結部とを備え、前記複数の円弧状部のうち前記表示位置を含む前記回転方向に沿う所定の表示区画に位置付けられる各円弧状部の前記当接面同士を当接させて前記曲面同士を連接させ、かつ、前記表示区画と前記表示区画を除く他の非表示区画との各境界位置に位置付けられ隣接接続される各円弧状部を前記内面同士が近接する方向に屈曲させた姿勢状態で前記絵柄表示体を支持する表示体支持部を備えていることを特徴とする。
【０００７】
ところで、上述した円弧状部のようなアーチ状（断面円弧状）部材を複数用い、複数のアーチ状部材を断面円弧状の延出方向に沿って互いに当接して全体としてアーチ状の構造体を構成するためには、以下に示すように、前記アーチ状の構造体を支持することで実現できる。
前記アーチ状の構造体の両端を支持するとともに、前記アーチ状の構造体を構成する各アーチ状部材のうち少なくともいずれかのアーチ状部材に対して円弧状の略中心に向けて応力を与えた場合や、前記両端を円弧状の弦方向に応力を与えた場合に、前記アーチ状の構造体を構成できる。
すなわち、表示体支持部としては、絵柄表示体における表示区画および非表示区画の各境界位置を支持するとともに、表示区画に位置付けられる各円弧状部のうち少なくともいずれかの円弧状部に対して絵柄表示体の内部空間に向けて応力を与えたり、絵柄表示体における表示区画および非表示区画の各境界位置に対して絵柄表示体を拡張する応力を与えたりする構成とすることで、絵柄表示体を上述した姿勢状態で支持できる。
【０００８】
本発明では、回胴表示装置を構成する絵柄表示体は、複数の円弧状部が複数の連結部により無端状に連結された構成を有している。また、回胴表示装置は、上述した姿勢状態で絵柄表示体を支持する表示体支持部を備えている。このことにより、絵柄表示体における表示区画に位置付けられる各円弧状部を全体としてアーチ状の構造体とすることができる。このため、上述した回胴表示装置を遊技機に搭載すれば、遊技者に対して、遊技盤に形成された表示窓を介して、複数の円弧状部が無端状に連結された絵柄表示体をドラム状の構造体（従来の回転ドラム）として認識させることができる。
また、絵柄表示体は、表示体支持部により、表示区画と非表示区画の各境界位置に位置付けられ隣接接続される各円弧状部を内面同士が近接する方向に屈曲させた姿勢状態で支持される。このことにより、少なくとも表示区画に位置付けられる各円弧状部のみを全体としてアーチ状の構造体としつつ、表示区画に位置付けられる各円弧状部と、非表示区画に位置付けられる各円弧状部との離間寸法を小さくすることができる。
したがって、上述した回胴表示装置を遊技機に搭載し、表示区画に位置付けられる各円弧状部を比較的に多い数で構成すれば、遊技者に対して、大型化したドラム状の構造体を用いているものと認識させ、視覚的な効果を迫力のあるものとすることができる。また、表示区画に位置付けられる各円弧状部と非表示区画に位置付けられる各円弧状部との離間寸法を小さくすることができるため、遊技機の奥行きを大きくする必要がなく、遊技機の薄型化を実現できる。
【０００９】
本発明の回胴表示装置では、前記表示体支持部は、前記絵柄表示体の内部空間における前記各境界位置近傍にそれぞれ配設され、前記絵柄表示体の回転および停止を実施する駆動ローラで構成され、前記駆動ローラは、前記回転方向に直交する方向に沿って配設される回動軸と、前記回動軸に対して回動自在に軸支されるローラ本体とを備え、前記ローラ本体は、前記回動軸を中心とする回動方向に所定間隔を空けて形成され前記回動軸から離間する方向に突出する複数の係合突起部を有し、前記係合突起部における突出方向先端部分には、突出方向基端部分の断面積よりも大きい断面積を有する膨出部が形成され、前記円弧状部の前記内面には、前記延出方向両端部側に前記係合突起部と係合可能とする係合受け部がそれぞれ形成され、前記円弧状部は、前記各境界位置に位置付けられ隣接接続される他の円弧状部との間で前記内面同士が近接する方向に屈曲した状態となった際に、自身の前記係合受け部と前記他の円弧状部の前記係合受け部とが前記係合突起部の前記膨出部の周囲を囲み前記膨出部を把持して前記係合突起部と係合することが好ましい。
【００１０】
本発明では、表示体支持部は、２つの駆動ローラで構成されている。また、駆動ローラは、回動軸と、膨出部が形成された複数の係合突起部を有するローラ本体とを備える。さらに、円弧状部の内面には、延出方向両端部側に係合受け部がそれぞれ形成されている。そして、各境界位置に位置付けられ隣接接続される各円弧状部が屈曲した状態となった際に、各円弧状部の各係合受け部が膨出部の周囲を囲み膨出部を把持することで、絵柄表示体と駆動ローラとが係合する。このことにより、２つの駆動ローラが絵柄表示体に係合することで、絵柄表示体における表示区画および非表示区画の各境界位置を支持できるとともに、例えば、係合時において２つの駆動ローラが絵柄表示体における表示区画および非表示区画の各境界位置に対して絵柄表示体を拡張する応力を与える構成とすれば、絵柄表示体を上述した姿勢状態で支持できる。
【００１１】
また、２つの駆動ローラが絵柄表示体に係合した状態で、ローラ本体が回動することで、絵柄表示体を上述した姿勢状態で支持しつつ、絵柄表示体を順次、繰り送ることができる。すなわち、絵柄表示体を回転させる駆動源である２つの駆動ローラにて絵柄表示体を上述した姿勢状態で支持できるため、駆動源の他、別途、絵柄表示体を支持する部材が不要となり、最低限の部材で回胴表示装置を構成できる。
さらに、絵柄表示体と２つの駆動ローラとは各境界位置でのみ係合する構成となるので、例えば、絵柄表示体を無端帯状のベルトで構成し表示区画がアーチ状となるようにベルトの内面を円弧状の曲面を有するガイド部にて支持するように構成した場合と比較して、絵柄表示体への摩擦力を低減でき、絵柄表示体を円滑に回転させることができる。
【００１２】
本発明の回胴表示装置では、前記表示体支持部は、前記絵柄表示体における前記曲面および前記当接面に交差する側面に対向し前記各境界位置近傍にそれぞれ配設され、前記絵柄表示体の回転および停止を実施する駆動ローラで構成され、前記連結部は、前記絵柄表示体における前記曲面および前記当接面に交差する側面から面外方向に突出する形状を有し、前記駆動ローラは、前記回転方向に直交する方向に沿って配設される回動軸と、前記回動軸に対して回動自在に軸支される板状のローラ本体とを備え、前記ローラ本体の外周面には、前記回動軸を中心とする１２０°の回転対称位置に穿設され前記連結部と係合可能とする係合用孔が形成されていることが好ましい。
【００１３】
本発明では、表示体支持部は、２つの駆動ローラで構成されている。また、駆動ローラは、回動軸と、外周面の回動軸を中心とする１２０°の回転対称位置に穿設され連結部と係合可能とする係合用孔が形成されたローラ本体とを備える。さらに、連結部は、絵柄表示体の側面から面外方向に突出する形状を有している。このことにより、境界位置近傍に各円弧状部が位置付けられた際に、各円弧状部を連結する連結部と駆動ローラの係合用孔とを係合させ、すなわち、絵柄表示体と駆動ローラとを係合させることができる。例えば、表示区画における境界位置近傍に位置する２つの円弧状部を連結する連結部、境界位置に位置する２つの円弧状部を連結する連結部、および非表示区画における境界位置近傍に位置する２つの円弧状部を連結する連結部の３つの連結部と、駆動ローラの３つの係合用孔とを係合させることができる。そして、２つの駆動ローラが絵柄表示体に係合することで、絵柄表示体における表示区画および非表示区画の各境界位置を支持できるとともに、例えば、係合時において２つの駆動ローラが絵柄表示体における表示区画および非表示区画の各境界位置に対して絵柄表示体を拡張する応力を与える構成とすれば、絵柄表示体を上述した姿勢状態で支持できる。
【００１４】
また、２つの駆動ローラが絵柄表示体に係合した状態で、ローラ本体が回動することで、絵柄表示体を上述した姿勢状態で支持しつつ、絵柄表示体を順次、繰り送ることができる。すなわち、絵柄表示体を回転させる駆動源である２つの駆動ローラにて絵柄表示体を上述した姿勢状態で支持できるため、駆動源の他、別途、絵柄表示体を支持する部材が不要となり、最低限の部材で回胴表示装置を構成できる。
さらに、絵柄表示体と２つの駆動ローラとは各境界位置でのみ係合する構成となるので、例えば、絵柄表示体を無端帯状のベルトで構成し表示区画がアーチ状となるようにベルトの内面を円弧状の曲面を有するガイド部にて支持するように構成した場合と比較して、絵柄表示体への摩擦力を低減でき、絵柄表示体を円滑に回転させることができる。
また、絵柄表示体と駆動ローラとの係合構造として、上述した形状の連結部と上述した形状のローラ本体とが係合する構造を採用しているので、係合構造を簡素化できるとともに、例えば、円弧状部も簡素な形状で形成できる。
【００１５】
本発明の回胴表示装置では、前記複数の円弧状部は、透光性部材で構成されていることが好ましい。
本発明によれば、複数の円弧状部が透光性部材で構成されているので、絵柄表示体の内部空間を視認可能な状態とすることができる。このため、上述した回胴表示装置を遊技機に搭載した際に、絵柄表示体の内部空間に、例えば、直視型の液晶表示装置、ランプ、役物等の各部材を配置すれば、遊技者に対して、表示窓を介して、絵柄表示体の他、上述した各部材を認識させることができる。このため、上述した各部材にて演出を行うことで、視覚的な効果をさらに付加することができる。
【００１６】
本発明の遊技機は、遊技用画像を表示する表示装置を備えた遊技機であって、前記表示装置は、上述した回胴表示装置を備えていることを特徴とする。
本発明によれば、遊技機は、上述した回胴表示装置を備えているので、上述した回胴表示装置と同様の作用および効果を享受できる。
【発明を実施するための最良の形態】
【００１７】
[第１実施形態]
以下、本発明の第１実施形態を図面に基づいて説明する。
〔パチンコ機の外観構成〕
図１は、第１実施形態における遊技機としてのパチンコ機１の外観を示す斜視図である。
パチンコ機１は、所定の確率に設定された抽選によって「大当たり」が生じるパチンコ機であり、図１に示すように、遊技機構２と、遊技機用表示装置３と、これら遊技機構２および遊技機用表示装置３を制御する図示しない制御装置にて大略構成されている。
遊技機構２は、図１に示すように、枠体２１と、前面側に取り付けられ、遊技球が落下しつつ移動する遊技盤２２と、遊技盤２２の全面を覆う透光板を有する前扉２３と、遊技球を発射するためのハンドル２４等を備える。そして、遊技機構２は、遊技者によるハンドル２４の操作により、遊技球を遊技盤２２上に射出し、遊技球が遊技盤２２に設けられた入賞口２２１、スタートチャッカ２２２、大入賞口２２３等に入賞した場合に、所定の信号を前記制御装置に出力するとともに、前記制御装置による制御の下、所定数の遊技球を払い出す。
【００１８】
図２は、遊技機用表示装置３の概略構成を模式的に示す斜視図である。
遊技機用表示装置３は、図１に示すように、遊技盤２２の略中央部分に形成された矩形状の表示窓２２４を介して一部が露出して外部から視認可能に構成され、前記制御装置による制御の下、所定の絵柄や背景画像を表示する。この遊技機用表示装置３は、図２に示すように、回胴表示装置４と、液晶表示装置５とを備える。
回胴表示装置４は、図１または図２に示すように、遊技盤２２の表示窓２２４を介して一部が露出し、前記制御装置による制御の下、所定の絵柄を変動表示する。例えば、前記制御装置は、スタートチャッカ２２２に遊技球が入賞し、スタートチャッカ２２２から所定の信号が前記制御装置に出力され、大当たり抽選を実施する際に、回胴表示装置４に所定の絵柄を変動表示させる。この回胴表示装置４は、図１または図２に示すように、表示窓２２４の長手方向（水平方向）に並列配置された第１回胴表示装置（左リール）４Ａ、第２回胴表示装置（中央リール）４Ｂ、および第３回胴表示装置（右リール）４Ｃの３つで構成される。なお、各回胴表示装置４Ａ〜４Ｃは、同様の構成を有しているため、以下では、１つの回胴表示装置４のみを説明する。
【００１９】
回胴表示装置４は、図２に示すように、絵柄表示体４１と、表示体支持部としての２つの駆動ローラ４２（４２Ａ，４２Ｂ）とを備える。
絵柄表示体４１は、図２に示すように、円弧状部としての複数（本実施形態では、３０個）のピース４１１が連結部としての複数（本実施形態では、６０個）のピン４１２（図３参照）により無端状に連結された構成を有する。そして、絵柄表示体４１は、各駆動ローラ４２の駆動により周方向に回転可能に構成され、回転および停止によって、遊技盤２２の表示窓２２４内の所定の表示位置Ｐ（図１、図２）に位置付けられる絵柄を変動表示する。なお、本実施形態では、絵柄は、絵柄表示体４１の外面に形成されている。また、３つのピース４１１にて１つの絵柄が形成され、計１０個の絵柄（図２では、７の数字、およびダイアのマークの２つの絵柄のみを図示）が形成されている。また、図２の状態では、回胴表示装置４は、左リール４Ａが「７」、中央リール４Ｂが「ダイア」、右リール４Ｃが「７」の絵柄をそれぞれ表示している。
【００２０】
図３は、ピース４１１の概略構成を模式的に示す斜視図である。具体的に、図３は、上死点ＰｄＵ（図２）近傍に位置付けられる各ピース４１１（ピース４１１Ａ〜４１１Ｃ（図２））を図１，図２の右側から見た斜視図である。また、図３では、上死点ＰｄＵに位置付けられ互いに連結された各ピース４１１Ａ，４１１Ｂのうち表示区画Ａｒ１（図２）に位置付けられたピース４１１Ａを実線で記載し、非表示区画Ａｒ２（図２）に位置付けられたピース４１１Ｂを仮想線で記載している。また、図３では、表示区画Ａｒ１に位置付けられ、ピース４１１Ａに連結された他のピース４１１Ｃを仮想線で記載している。
複数のピース４１１は、同様の形状を有しているため、以下では、１つのピース４１１のみを説明する。
【００２１】
ピース４１１は、図３に示すように、絵柄表示体４１の外面の一部を構成し所定の曲率を有して絵柄表示体４１の周方向に沿って断面円弧状に延出する曲面としての外面４１１１を有する板状に形成された部材である。より具体的に、ピース４１１は、前記所定の曲率を有して湾曲し、外面４１１１と外面４１１１に対向する内面４１１２とが平行した板状に形成された部材である。
このピース４１１において、断面円弧状の延出方向両端部には、図３に示すように、延出方向に直交する平坦状の当接面４１１３（４１１３Ａ，４１１３Ｂ）がそれぞれ形成されている。この当接面４１１３は、隣接して連結される他のピース４１１の当接面４１１３に当接可能とする部分である。そして、隣接して連結される各ピース４１１の各当接面４１１３が互いに当接した状態では、図３に示すように、各ピース４１１（図３ではピース４１１Ａ，４１１Ｃ）は、断面円弧状の延出方向に沿って連接し、各外面４１１１が面一となる。
【００２２】
また、このピース４１１において、内面４１１２には、図３に示すように、断面円弧状の延出方向両端部側に係合受け部４１１４（４１１４Ａ，４１１４Ｂ）がそれぞれ形成されている。より具体的に、各係合受け部４１１４は、図３に示すように、当接面４１１３Ａ，４１１３Ｂおよび内面４１１２が交差する各角部分において、絵柄表示体４１の幅方向（絵柄表示体４１の周方向に直交する幅方向）略中央部分にそれぞれ形成されている。
係合受け部４１１４は、図３に示すように、略直方体状に切り欠かれた凹部であり、具体的には後述するが、駆動ローラ４２の後述する係合突起部（膨出部）の外形形状に対応して形成されている。
さらに、係合受け部４１１４Ｂの前記幅方向両側の角部分（当接面４１１３Ｂおよび内面４１１２が交差する角部分）は、図３に示すように、互いに連結された各ピース４１１において、各内面４１１２が近接する方向に屈曲可能とするために、面取り加工が施された曲面状に形成されている。
【００２３】
さらに、このピース４１１において、内面４１１２には、図３に示すように、断面円弧状の延出方向端部側に連結受け部４１１５が形成されている。より具体的に、連結受け部４１１５は、図３に示すように、当接面４１１３Ａおよび内面４１１２が交差する角部分において、前記幅方向両端部にそれぞれ形成されている。
連結受け部４１１５は、図３に示すように、略直方体状に切り欠かれた凹部である。そして、連結受け部４１１５の３つの内側面のうち前記幅方向に交差する内側面には、図３に示すように、前記幅方向に沿ってピン４１２を挿通可能とする連結用円孔４１１５Ａが形成されている。
【００２４】
また、このピース４１１において、内面４１１２には、図３に示すように、連結受け部４１１５が形成された位置とは反対側の断面円弧状の延出方向端部側に連結突起部４１１６が形成されている。より具体的に、連結突起部４１１６は、図３に示すように、当接面４１１３Ｂおよび内面４１１２が交差する角部分において、前記幅方向両端部にそれぞれ形成されている。
連結突起部４１１６は、図３に示すように、前記幅方向両端部における角部分から内面４１１２の断面円弧状の延出方向に沿って突出する突起であり、隣接して連結されるピース４１１の連結受け部４１１５に配設可能に構成されている。また、連結突起部４１１６の突出方向先端部分は、図３に示すように、互いに連結された各ピース４１１において、各内面４１１２が近接する方向に屈曲可能とするために、面取り加工が施された曲面状に形成されている。そして、連結突起部４１１６には、図３に示すように、前記幅方向に沿ってピン４１２を挿通可能とする連結用円孔４１１６Ａが形成されている。
【００２５】
ピン４１２は、円柱形状を有し、ピース４１１の各連結受け部４１１５に他のピース４１１の各連結突起部４１１６を配設した状態で、各連結用円孔４１１５Ａ，４１１６Ａに挿通することで各ピース４１１を連結する。
そして、ピン４１２は、各ピース４１１を内面４１１２側に位置する各連結用円孔４１１５Ａ，４１１６Ａを介して連結するため、図３に示すように、隣接接続される各ピース４１１（図３中の各ピース４１１Ａ，４１１Ｃ参照）を、各当接面４１１３同士が互いに当接可能に連結する。また、ピン４１２は、図３に示すように、隣接接続される各ピース４１１（図３中の各ピース４１１Ａ，４１１Ｂ参照）を、内面４１１２同士が近接する方向に屈曲可能に連結する。
以上説明した、絵柄表示体４１（各ピース４１１、各ピン４１２）は、アクリル材等の透光性材料で構成されている。
【００２６】
図４は、駆動ローラ４２の概略構成を模式的に示す図である。具体的に、図４は、回胴表示装置４の上死点ＰｄＵ近傍を図１，図２の右側から見た図である。
２つの駆動ローラ４２は、図２に示すように、絵柄表示体４１の内部空間において、表示位置Ｐを含むパチンコ機１の前面側に位置付けられる表示区画Ａｒ１（本実施形態では、１５個のピース４１１で構成される区画）と、表示区画Ａｒ１を除きパチンコ機１の背面側に位置付けられる非表示区画Ａｒ２（本実施形態では、１５個のピース４１１で構成される区画）との各境界位置（以下では、上方側の境界位置（各ピース４１１の連結位置）を上死点ＰｄＵ（図２）、下方側の境界位置（各ピース４１１の連結位置）を下死点ＰｄＬ（図２）とする）近傍にそれぞれ配設され、絵柄表示体４１を周方向に回転させる。
なお、具体的な図示は省略したが、各駆動ローラ４２は、ステッピングモータと接続し、前記制御装置による制御の下、ステッピングモータの駆動により駆動（後述するローラ本体が回転）するものである。また、各駆動ローラ４２Ａ，４２Ｂは、同様の構成を有しているため、以下では、１つの駆動ローラ４２のみを説明する。
【００２７】
駆動ローラ４２は、図４に示すように、回動軸４２１と、ローラ本体４２２とを備える。
回動軸４２１は、図４に示すように、絵柄表示体４１の周方向に直交する方向（前記幅方向、図４中、紙面に直交する方向）に沿って配設され、ローラ本体４２２を回動自在に軸支する部分である。
ローラ本体４２２は、前記幅方向に沿って延出する柱状に形成され、回動軸４２１を中心として回動することで、絵柄表示体４１を周方向に回転させる。
このローラ本体４２２は、図４に示すように、回動軸４２１を中心とする回動方向に所定間隔を空けて形成され回動軸４２１から離間する方向に突出する複数（本実施形態では、３つ）の係合突起部４２２１を有する。
【００２８】
３つの係合突起部４２２１は、図４に示すように、回動軸４２１を中心とした回転対称形状を有する。
また、係合突起部４２２１における突出方向先端部分には、突出方向基端部分の断面積（前記幅方向に沿う平面にて係合突起部４２２１の突出方向基端部分を切断した際の断面積）よりも大きい断面積（前記平面に平行な平面にて係合突起部４２２１の突出方向先端部分を切断した際の断面積）を有する膨出部４２２１Ａが形成されている。
より具体的に、膨出部４２２１Ａは、図４に示すように、回動軸４２１を中心とした回動方向の接線方向に対して所定角度傾斜して延出した平面視楕円形状を有する。
【００２９】
そして、駆動ローラ４２Ａは、上死点ＰｄＵ付近において、３つの係合突起部４２２１のうちいずれかの係合突起部４２２１が、絵柄表示体４１における隣接して連結される各ピース４１１の各係合受け部４１１４に係合する。また、絵柄表示体４１および駆動ローラ４２Ａが係合した状態で、ローラ本体４２２が回動軸４２１を中心として回動することで、絵柄表示体４１が周方向に回転する。駆動ローラ４２Ｂも同様に、駆動ローラ４２Ａに同期して駆動する。なお、絵柄表示体４１と駆動ローラ４２との係合構造については、後述する。
【００３０】
ここで、各駆動ローラ４２は、以下に示すように、配設されている。
すなわち、各３つの係合突起部４２２１のうちいずれかの係合突起部４２２１の膨出部４２２１Ａが上死点ＰｄＵおよび下死点ＰｄＬに位置付けられた場合において、上死点ＰｄＵおよび下死点ＰｄＬに位置付けられた各膨出部４２２１Ａの離間寸法が、１５個の各ピース４１１が断面円弧状の延出方向に沿って連接された際の円弧両端を結ぶ線分（弦）よりも若干、大きくなるように設定されている。
以上のように各駆動ローラ４２が配設されているため、膨出部４２２１Ａが上死点ＰｄＵおよび下死点ＰｄＬに位置付けられた場合に、各駆動ローラ４２は、上死点ＰｄＵおよび下死点ＰｄＬにおいて、絵柄表示体４１を拡張する方向に応力を与えることとなる。このため、各駆動ローラ４２は、図２または図３に示すように、表示区画Ａｒ１に位置付けられる１５個の各ピース４１１（図３、図４では、ピース４１１Ａ，４１１Ｃ）の各当接面４１１３同士が当接して１５個の各ピース４１１が断面円弧状の延出方向に沿って連接し、全体としてアーチ状の構造体となる姿勢状態で支持する。なお、本実施形態では、表示区画Ａｒ１に位置付けられる１５個の各ピース４１１と、非表示区画Ａｒ２に位置付けられる１５個の各ピース４１１とは、同一の姿勢状態で支持されている。また、各駆動ローラ４２は、図２または図３に示すように、上死点ＰｄＵおよび下死点ＰｄＬに位置付けられ隣接接続される各ピース４１１（図３、図４では、ピース４１１Ａ，４１１Ｂ）を、内面４１１２同士が近接する方向に屈曲した姿勢状態で支持する。
【００３１】
次に、図４を参照して上述した絵柄表示体４１と駆動ローラ４２との係合構造を説明する。なお、以下では、上死点ＰｄＵでの絵柄表示体４１と駆動ローラ４２Ａとの係合構造を主に説明する。下死点ＰｄＬでの絵柄表示体４１と駆動ローラ４２Ｂとの係合構造も同様のものである。
ピース４１１（４１１Ａ）は、図４に示すように、上死点ＰｄＵに位置付けられ、隣接接続される他のピース４１１（４１１Ｂ）との間で内面４１１２同士が近接する方向に屈曲した状態となった際に、ピース４１１Ａの係合受け部４１１４Ａとピース４１１Ｂの係合受け部４１１４Ｂとが係合突起部４２２１の膨出部４２２１Ａ（４２２１Ａ１）周囲を囲み膨出部４２２１Ａ１を把持して係合突起部４２２１と係合する。
そして、上述したように係合した状態において、ローラ本体４２２が回動軸４２１を中心として例えば図４に示す矢印Ｒ１方向に回動することで、膨出部４２２１Ａ１がピース４１１Ｂを矢印Ｒ１方向に押圧し、絵柄表示体４１が周方向に回転する。
【００３２】
なお、隣接して連結される各ピース４１１の各係合受け部４１１４に係合した係合突起部４２２１を除く他の係合突起部４２２１の膨出部４２２１Ａ（４２２１Ａ２）は、図４に示すように、当接面４１１３同士が互いに当接した各ピース４１１（各ピース４１１Ａ，４１１Ｃ）の各係合受け部４１１４内部に挿通されている。そして、膨出部４２２１Ａ２は、ローラ本体４２２の回動、および絵柄表示体４１の回転時において、各係合受け部４１１４内部に挿通された状態が維持され、上死点ＰｄＵ近傍に位置付けられた際に、上述した膨出部４２２１Ａ１と同様に、各ピース４１１Ａ，４１１Ｃの内面４１１２同士が近接する方向に屈曲し、各ピース４１１Ａ，４１１Ｃの各係合受け部４１１４にて周囲を囲まれ把持されることとなる。
以上のように、駆動ローラ４２は、上述した姿勢状態で絵柄表示体４１を支持しつつ、絵柄表示体４１を周方向に繰り送る。
【００３３】
液晶表示装置５は、具体的な図示は省略したが、バックライト等の光源装置と、光源装置から射出された光束を変調して所定の画像を形成する液晶パネル等で構成されている。この液晶表示装置５は、図２に示すように、回胴表示装置４（絵柄表示体４１）の内部空間に配設され、前記制御装置による制御の下、所定の背景画像を表示する。
図５および図６は、液晶表示装置５による表示される画像の一例を示す図である。
例えば、前記制御装置は、大当たり抽選時において、すなわち、各回胴表示装置４Ａ〜４Ｃにおける各絵柄表示体４１の回転時において、図５に示すように、ワープ（歪み）を模した背景画像（図５（Ａ））、稲妻を模した背景画像（図５（Ｂ））、大当たり時の絵柄を予告した背景画像（図５（Ｃ））等を液晶表示装置５に表示させる。
また、例えば、前記制御装置は、大当たり時において、図６に示すように、爆発した状態を模した背景画像（図６（Ａ））、花火が連続して打ち上げられた状態を模した背景画像（図６（Ｂ））、大当たりの回数（ラウンド）を模した背景画像（図６（Ｃ））等を液晶表示装置５に表示させる。
【００３４】
上述した第１実施形態によれば、以下の効果がある。
本実施形態では、回胴表示装置４を構成する絵柄表示体４１は、３０個のピース４１１が６０個のピン４１２により無端状に連結された構成を有している。また、回胴表示装置４は、上述した姿勢状態で絵柄表示体４１を支持する２つの駆動ローラ４２を備えている。このことにより、絵柄表示体４１における表示区画Ａｒ１に位置付けられる各ピース４１１を全体としてアーチ状の構造体とすることができる。このため、遊技者に対して、遊技盤２２の表示窓２２４を介して、各ピース４１１が無端状に連結された絵柄表示体４１をドラム状の構造体として認識させることができる。
また、絵柄表示体４１は、２つの駆動ローラ４２により、表示区画Ａｒ１と非表示区画Ａｒ２の各境界位置に位置付けられ隣接接続される各ピース４１１（４１１Ａ，４１１Ｂ）を内面４１１２同士が近接する方向に屈曲させた姿勢状態で支持される。このことにより、表示区画Ａｒ１に位置付けられる各ピース４１１を全体としてアーチ状の構造体としつつ、表示区画Ａｒ１に位置付けられる各ピース４１１と、非表示区画Ａｒ２に位置付けられる各ピース４１１との離間距離を小さくすることができる。
したがって、表示区画Ａｒ１に位置付けられる各ピース４１１を比較的に多い数（本実施形態では、１５個）で構成することで、遊技者に対して、大型化したドラム状の構造体を用いているものと認識させ、視覚的な効果を迫力のあるものとすることができる。また、表示区画Ａｒ１に位置付けられる各ピース４１１と非表示区画Ａｒ２に位置付けられる各ピース４１１との離間寸法を小さくすることができるため、パチンコ機１の奥行きを大きくする必要がなく、パチンコ機１の薄型化を実現できる。
【００３５】
また、絵柄表示体４１は、２つの駆動ローラ４２にて支持されている。また、駆動ローラ４２は、回動軸４２１と、膨出部４２２１Ａが形成された３つの係合突起部４２２１を有するローラ本体４２２とを備える。さらに、ピース４１１の内面４１１２には、延出方向両端部側に係合受け部４１１４が形成されている。そして、各境界位置（上死点ＰｄＵおよび下死点ＰｄＬ）に位置付けられ隣接接続される各ピース４１１が屈曲した状態となった際に、各ピース４１１の各係合受け部４１１４が膨出部４２２１Ａの周囲を囲み膨出部４２２１Ａを把持することで、絵柄表示体４１と駆動ローラ４２とが係合する。また、２つの駆動ローラ４２は、各境界位置において、絵柄表示体４１を拡張する応力を与えるように配設されている。このことにより、２つの駆動ローラ４２が絵柄表示体４１に係合することで、絵柄表示体４１における表示区画Ａｒ１と非表示区画Ａｒ２の各境界位置を支持できるとともに、絵柄表示体４１を上述した姿勢状態で支持できる。
また、２つの駆動ローラ４２が絵柄表示体４１に係合した状態で、ローラ本体４２２が回動することで、絵柄表示体４１を上述した姿勢状態で支持しつつ、絵柄表示体４１を順次、繰り送ることができる。すなわち、絵柄表示体４１を回転させる駆動源である２つの駆動ローラ４２にて絵柄表示体４１を上述した姿勢状態で支持できるため、駆動源の他、別途、絵柄表示体４１を支持する部材が不要となり、最低限の部材で回胴表示装置４を構成できる。
さらに、絵柄表示体４１と２つの駆動ローラ４２とは各境界位置でのみ係合する構成となるので、例えば、絵柄表示体を無端帯状のベルトで構成し表示区画がアーチ状となるようにベルトの内面を円弧状の曲面を有するガイド部にて支持するように構成した場合と比較して、絵柄表示体４１への摩擦力を低減でき、絵柄表示体４１を円滑に回転させることができる。
【００３６】
さらに、絵柄表示体４１は、透光性部材で構成されているので、絵柄表示体４１の内部空間を視認可能な状態とすることができる。このため、絵柄表示体４１の内部空間に、液晶表示装置５を配置することで、遊技者に対して、表示窓２２４を介して、絵柄表示体４１の他、液晶表示装置５にて表示される背景画像を認識させることができる。このため、液晶表示装置５にて演出を行うことで、視覚的な効果をさらに付加することができる。
【００３７】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
図７は、第２実施形態における絵柄表示体４１´の概略構成を模式的に示す斜視図である。具体的に、図７は、図３に対応した図であり、上死点ＰｄＵ近傍に位置付けられる各ピース４１１´（ピース４１１Ａ´〜４１１Ｃ´）および各ピン４１２´を示す斜視図である。
図８は、第２実施形態における駆動ローラ４２´の概略構成を模式的に示す斜視図である。具体的に、図８は、図４に対応した図であり、回胴表示装置４の上死点ＰｄＵ近傍を示す図である。
本実施形態は、図７または図８に示すように、前記第１実施形態に対して、円弧状部としてのピース４１１´の形状、連結部としてのピン４１２´の形状、および表示体支持部としての駆動ローラ４２´（図８）の形状が異なるのみである。その他の構成については、前記第１実施形態と同様のものとする。
【００３８】
ピース４１１´は、図７に示すように、前記第１実施形態で説明したピース４１１と略同一の形状を有し、ピース４１１に対して、係合受け部４１１４、連結受け部４１１５、および連結突起部４１１６が省略されている。
このピース４１１´において、内面４１１２には、図７に示すように、断面円弧状の延出方向端部側に、第１連結ヒンジ４１１７が形成されている。より具体的に、第１連結ヒンジ４１１７は、図７に示すように、当接面４１１３Ａおよび内面４１１２が交差する角部分において、絵柄表示体４１´の周方向に直交する幅方向両端部にそれぞれ形成されている。
第１連結ヒンジ４１１７は、図４に示すように、略円柱状に形成され、柱状軸が前記幅方向に向くように形成されている。そして、第１連結ヒンジ４１１７には、図７に示すように、前記幅方向に沿ってピン４１２´を挿通可能とする連結用円孔４１１７Ａが形成されている。なお、連結用円孔４１１７Ａは、具体的な図示は省略したが、円孔の中心軸が内面４１１２上に位置するように形成されている。
【００３９】
また、このピース４１１´において、内面４１１２には、図７に示すように、第１連結ヒンジ４１１７が形成された位置とは反対側の断面円弧状の延出方向端部側に第２連結ヒンジ４１１８が形成されている。より具体的に、第２連結ヒンジ４１１８は、図７に示すように、当接面４１１３Ｂおよび内面４１１２が交差する角部分において、前記幅方向両端部を除く位置にそれぞれ形成されている。
第２連結ヒンジ４１１８は、図７に示すように、第１連結ヒンジ４１１７と同様に柱状軸が前記幅方向に向く略円柱状に形成され、隣接して連結されるピース４１１´の各第１連結ヒンジ４１１７間に配設可能に構成されている。そして、第２連結ヒンジ４１１８には、図７に示すように、前記幅方向に沿ってピン４１２´を挿通可能とする連結用円孔４１１８Ａが形成されている。なお、連結用円孔４１１８Ａは、具体的な図示は省略したが、円孔の中心軸が内面４１１２上に位置するように形成されている。
【００４０】
ピン４１２´は、前記第１実施形態で説明したピン４１２と同様に円柱形状を有し、ピース４１１´の各第１連結ヒンジ４１１７間に他のピース４１１´の第２連結ヒンジ４１１８を配設した状態で、各連結用円孔４１１７Ａ，４１１８Ａに挿通することで各ピース４１１´を連結する。また、ピン４１２´は、図７に示すように、各ピース４１１´を連結した状態で、外面４１１１および当接面４１１３に交差する側面４１１０から略直交して突出するように形成されている。
そして、ピン４１２は、各ピース４１１´を内面４１１２上に位置する各連結用円孔４１１７Ａ，４１１８Ａを介して連結するため、図７に示すように、隣接接続される各ピース４１１´（図７中の各ピース４１１Ａ´，４１１Ｃ´参照）を、各当接面４１１３同士が互いに当接可能に連結する。また、ピン４１２は、図７に示すように、隣接接続される各ピース４１１´（図７中の各ピース４１１Ａ´，４１１Ｂ´参照）を、内面４１１２同士が近接する方向に屈曲可能に連結する。
以上説明した、絵柄表示体４１´（各ピース４１１´、各ピン４１２´）は、前記第１実施形態で説明した絵柄表示体４１と同様に、アクリル材等の透光性材料で構成されている。
【００４１】
駆動ローラ４２´は、具体的な図示は省略したが、前記第１実施形態で説明した回胴表示装置４と略同様に、表示区画Ａｒ１と非表示区画Ａｒ２との各境界位置（以下では、前記第１実施形態と同様に、上方側の境界位置（各ピース４１１´の連結位置）を上死点ＰｄＵ（図８）、下方側の境界位置（各ピース４１１の連結位置）を下死点ＰｄＬ（図示略）とする）近傍において、絵柄表示体４１´における側面４１１０に対向する位置にそれぞれ配設され、絵柄表示体４１´を周方向に回転させる。
なお、各駆動ローラ４２´は、同様の構成を有しているため、以下では、１つの駆動ローラ４２´のみを説明する。
【００４２】
駆動ローラ４２´は、図８に示すように、回動軸４２３と、ローラ本体４２４とを備える。
回動軸４２３は、図８に示すように、絵柄表示体４１´の周方向に直交する方向（前記幅方向、図８中、紙面に直交する方向）に沿って配設され、ローラ本体４２４を回動自在に軸支する部分である。
ローラ本体４２４は、回動軸４２３を中心とする平面視円盤形状を有し、回動軸４２３を中心として回動することで、絵柄表示体４１´を周方向に回転させる。
このローラ本体４２４の外周面には、図８に示すように、回動軸４２３を中心とする１２０°の回転対称位置に穿設される３つの係合用孔４２４１が形成されている。より具体的に、３つの係合用孔４２４１は、図８に示すように、表示区画Ａｒ１における上死点ＰｄＵまたは下死点ＰｄＬ近傍に位置する２つの各ピース４１１´（４１１Ａ´、４１１Ｃ´）を連結するピン４１２´と、上死点ＰｄＵまたは下死点ＰｄＬに位置する２つの各ピース４１１´（４１１Ａ´、４１１Ｂ´）を連結するピン４１２´と、上死点ＰｄＵまたは下死点ＰｄＬ近傍に位置する２つの各ピース４１１´（４１１Ｂ´、４１１Ｄ´）を連結するピン４１２´とを頂点に見立てた正三角形の各頂点にあたる位置に形成されている。本実施形態では、３つの係合用孔４２４１は、図８に示すように、平面視略円弧状に切り欠かれて形成されたものである。
【００４３】
そして、駆動ローラ４２´は、上死点ＰｄＵ付近において、３つの係合用孔４２４１のうち少なくとも２つの係合用孔４２４１が、絵柄表示体４１における各ピース４１１´を連結するピン４１２´に係合する。また、絵柄表示体４１´および駆動ローラ４２´が係合した状態で、ローラ本体４２４が回動軸４２３を中心として回動することで、絵柄表示体４１´が周方向に回転する。なお、絵柄表示体４１´と駆動ローラ４２´との係合構造については、後述する。
【００４４】
ここで、各駆動ローラ４２´は、以下に示すように、配設されている。
すなわち、各３つの係合用孔４２４１のうちいずれかの係合用孔４２４１が上死点ＰｄＵおよび下死点ＰｄＬに位置付けられた場合において、上死点ＰｄＵおよび下死点ＰｄＬに位置付けられた各係合用孔４２４１の離間寸法が、１５個の各ピース４１１´が断面円弧状の延出方向に沿って連接された際の円弧両端を結ぶ線分（弦）よりも若干、大きくなるように設定されている。
以上のように各駆動ローラ４２´が配設されているため、係合用孔４２４１が上死点ＰｄＵおよび下死点ＰｄＬに位置付けられた場合に、各駆動ローラ４２´は、上死点ＰｄＵおよび下死点ＰｄＬにおいて、絵柄表示体４１´を拡張する方向に応力を与えることとなる。このため、各駆動ローラ４２´は、前記第１実施形態と同様に、表示区画Ａｒ１に位置付けられる１５個の各ピース４１１´（図７、図８では、ピース４１１Ａ´，４１１Ｃ´）の各当接面４１１３同士が当接して１５個の各ピース４１１´が断面円弧状の延出方向に沿って連接し、全体としてアーチ状の構造体となる姿勢状態で支持する。なお、本実施形態では、表示区画Ａｒ１に位置付けられる１５個の各ピース４１１´と、非表示区画Ａｒ２に位置付けられる１５個の各ピース４１１´とは、同一の姿勢状態で支持されている。また、各駆動ローラ４２´は、前記第１実施形態と同様に、上死点ＰｄＵおよび下死点ＰｄＬに位置付けられ隣接接続される各ピース４１１´（図７、図８では、ピース４１１Ａ´，４１１Ｂ´）を、内面４１１２同士が近接する方向に屈曲した姿勢状態で支持する。
【００４５】
次に、図８を参照して上述した絵柄表示体４１´と駆動ローラ４２´との係合構造を説明する。なお、以下では、上死点ＰｄＵでの絵柄表示体４１´と駆動ローラ４２´との係合構造を主に説明する。下死点ＰｄＬでの絵柄表示体４１´と駆動ローラ４２´との係合構造も同様のものである。
図８に示すように、２つの各ピース４１１´（４１１Ａ´、４１１Ｃ´）が上死点ＰｄＵ近傍に位置付けられた際に、各ピース４１１Ａ´、４１１Ｃ´を連結するピン４１２´（４１２Ａ´）がローラ本体４２４の３つの係合用孔４２４１のうち一の係合用孔４２４１Ａ内に挿通し、絵柄表示体４１´と駆動ローラ４２´とが係合する。
そして、上述したように係合した状態において、ローラ本体４２４が回動軸４２３を中心として図８に示す矢印Ｒ２方向に回動することで、係合用孔４２４１Ａがピン４１２Ａ´を矢印Ｒ２方向に押圧し、絵柄表示体４１´が周方向に回転する。
【００４６】
また、絵柄表示体４１´が回転し（ローラ本体４２４が回動し）、ピン４１２Ａ´が上死点ＰｄＵに位置付けられた際に、各ピース４１１´は、図８に示す各ピース４１１Ａ´，４１１Ｂ´と同様に、内面４１１２同士が近接する方向に屈曲した状態となる。そして、絵柄表示体４１´およびローラ本体４２４がさらに回転すると、各ピース４１１´は、図８の各ピース４１１Ｂ´、４１１Ｄ´と同様に、当接面４１１３同士が互いに当接した状態となり、ピン４１２Ａ´が係合用孔４２４１Ａ内から外部へと抜けることとなる。
以上のように、駆動ローラ４２´は、上述した姿勢状態で絵柄表示体４１´を支持しつつ、絵柄表示体４１´を周方向に繰り送る。
【００４７】
上述した第２実施形態においては、上述した絵柄表示体４１´および駆動ローラ４２´を採用した場合であっても、前記第１実施形態と同様の効果を享受できる。
また、絵柄表示体４１´と駆動ローラ４２´との係合構造として、ピン４１２´とローラ本体４２４とが係合する構造を採用しているので、係合構造を簡素化できるとともに、各ピース４１１´も簡素な形状で形成できる。
【００４８】
なお、本発明は前述の実施形態に限定されるものではなく、本発明の目的を達成できる範囲での変形、改良等は本発明に含まれるものである。
前記各実施形態では、表示体支持部として、駆動源である駆動ローラ４２，４２´を採用していたが、絵柄表示体４１を上述した姿勢状態で支持可能な部材であれば、いずれの部材でもよく、例えば、絵柄表示体４１，４１´の上死点ＰｄＵおよび下死点ＰｄＬを支持するとともに、表示区画Ａｒ１におけるアーチ状の構造体を構成する各ピース４１１，４１１´のうち少なくともいずれかのピースに対して外面４１１１を円弧状の略中心に向けて応力を与える部材等を採用しても構わない。この際、前記部材としては、単体で構成してもよく、あるいは、複数で構成しても構わない。また、絵柄表示体４１，４１´の内部空間に配設してもよく、あるいは、絵柄表示体４１の外部空間に配設してもよい。
前記各実施形態において、絵柄表示体４１を構成する各ピース４１１，４１１´の数、表示区画Ａｒ１を構成する各ピース４１１，４１１´の数は、前記各実施形態で説明した数に限らず、その他の数を採用しても構わない。
【００４９】
前記各実施形態において、絵柄表示体４１，４１´の内部空間に液晶表示装置５を配設していたが、これに限らず、例えば、ランプ、役物等の部材を配設しても構わない。
また、前記各実施形態では、絵柄表示体４１，４１´が透光性部材から構成されていたが、少なくともピース４１１，４１１´が透光性部材から構成されていればよく、ピン４１２の構成として透光性を有さない部材を採用しても構わない。
さらに、前記各実施形態において、液晶表示装置５を省略し、絵柄表示体４１，４１´の構成として透光性を有さない部材を採用しても、本発明の目的を十分に達成できるものである。
【００５０】
前記各実施形態において、ピン４１２，４１２´による各ピース４１１，４１１´の連結位置を異なるものとしていたが、各ピース４１１，４１１´の内面４１１２側にて連結する構成であれば、連結位置は、前記各実施形態で説明した位置に限らない。
前記第１実施形態において、係合受け部４１１４は、凹部で構成されていたが、これに限らず、内面４１１２から突出する突起部を含めた構成としても構わない。このような構成であれば、上死点ＰｄＵや下死点ＰｄＬに位置付けられ内面４１１２同士が近接する方向に屈曲した各ピース４１１の各前記突起部にて係合突起部４２２１の突出方向基端部分を把持できる。
前記第２実施形態において、ローラ本体４２４は、平面視円盤形状で形成されていたが、これに限らず、外周面の回動軸４２３を中心とする１２０度の回転対称位置にそれぞれ係合用孔が形成されていれば、その他の形状で構成しても構わない。また、係合用孔４２４１は、平面視円弧状に切り欠かれた形状としていたが、その他の形状としても構わない。
【００５１】
前記各実施形態では、回胴表示装置４は、遊技機としてのパチンコ機１に搭載されていたが、これに限らず、パチスロ機、ピンボール機、あるいは、アレンジボール機等に搭載した構成としても構わない。
【産業上の利用可能性】
【００５２】
本発明の回胴表示装置は、視覚的な効果を付加しつつ薄型化を実現できるため、パチンコ機等の遊技機の回胴表示装置として利用できる。
【図面の簡単な説明】
【００５３】
【図１】第１実施形態における遊技機としてのパチンコ機の外観を示す斜視図。
【図２】前記実施形態における遊技機用表示装置の概略構成を模式的に示す斜視図。
【図３】前記実施形態におけるピースの概略構成を模式的に示す斜視図。
【図４】前記実施形態における駆動ローラの概略構成を模式的に示す図。
【図５】前記実施形態における液晶表示装置による表示される画像の一例を示す図。
【図６】前記実施形態における液晶表示装置による表示される画像の一例を示す図。
【図７】第２実施形態における絵柄表示体の概略構成を模式的に示す斜視図。
【図８】前記実施形態における駆動ローラの概略構成を模式的に示す斜視図。
【符号の説明】
【００５４】
１・・・パチンコ機（遊技機）、４・・・回胴表示装置、４１，４１´・・・絵柄表示体、４２，４２´・・・駆動ローラ（表示体支持部）、４１１，４１１´・・・ピース（円弧状部）、４１２，４１２´・・・ピン（連結部）、４２１，４２３・・・回動軸、４２２，４２４・・・ローラ本体、４１１１・・・外面（曲面）、４１１２・・・内面、４１１３・・・当接面、４１１４・・・係合受け部、４２２１・・・係合突起部、４２２１Ａ・・・膨出部、４２４１・・・係合用孔、Ａｒ１・・・表示区画、Ａｒ２・・・非表示区画、Ｐ・・・表示位置、ＰｄＵ・・・上死点（境界位置）、ＰｄＬ・・・下死点（境界位置）。
【図１】
2008220478.tif 000003
【図２】
2008220478.tif 000004
【図３】
2008220478.tif 000005
【図４】
2008220478.tif 000006
【図５】
2008220478.tif 000007
【図６】
2008220478.tif 000008
【図７】
2008220478.tif 000009
【図８】
2008220478.tif 000010